(57)【要約】  互いに閉じる又は開くことが可能な、ステープルアンビル１０を含む上部クランプ１０１と、ステープルカートリッジ２０が着脱可能に設置されるステープルカートリッジホルダ１０３を含む下部クランプ１０２とを含み、ステープルカートリッジ２０内に、その作動表面を貫通するステープルカートリッジホール２１と、ステープルカートリッジホール２１内に設置されるとともにそれに対し摺動可能なステープル押込スライス４０とが配列される一方、ステープル押込スライス４０をステープルカートリッジホール２１内で摺動させ得るくさび状のステープル押込部３１を有する発射片３０も摺動可能に設置される、直線縫合切断装置１００において、ステープルカートリッジホール２１は、ステープルカートリッジ２０の遠位端へ傾斜するように設置される。このようにして、ステープルカートリッジホール２１内のステープル押込スライス４０は推進される時、その受けた力の方向がステープルカートリッジホール２１の延伸方向と一致しており、ステープル押込スライス４０はステープルカートリッジホール２１の内壁と比較的大きな摩擦付勢力を生成することはなく、ステープル押込スライス４０はより順調に推進され得、手術の難易度は低減され得る。
2017500163.tif 000002
【特許請求の範囲】
【請求項１】
互いに閉じる又は開くことが可能な、ステープルアンビルを含む上部クランプと、ステープルカートリッジが着脱可能に設置されるステープルカートリッジホルダを含む下部クランプとを含み、
前記ステープルカートリッジ内に、その作動表面を貫通するステープルカートリッジホールと、前記ステープルカートリッジホール内に設置されるとともにそれに対し摺動可能なステープル押込スライスとが配列される一方、前記ステープル押込スライスを前記ステープルカートリッジホール内で摺動させ得るくさび状のステープル押込部を有する発射片も摺動可能に設置される、直線縫合切断装置において、
前記ステープルカートリッジホールは、前記ステープルカートリッジの遠位端へ傾斜するように設置される
ことを特徴とする直線縫合切断装置。
【請求項２】
前記発射片は前記ステープルカートリッジの近位端から遠位端へと運動し、
前記くさび状のステープル押込部は、前記ステープル押込スライスと嵌合するステープル押込面を有し、前記ステープル押込面が遠位端から近位端へと上向きに傾斜する
ことを特徴とする請求項１に記載の直線縫合切断装置。
【請求項３】
前記ステープルカートリッジホールは、前記ステープル押込面に垂直に設置される
ことを特徴とする請求項２に記載の直線縫合切断装置。
【請求項４】
前記ステープルカートリッジの遠位端から近位端へと延びる方向において、それぞれの前記ステープルカートリッジホールの上端面は上向きの傾斜面である
ことを特徴とする請求項１に記載の直線縫合切断装置。
【請求項５】
前記ステープルアンビルは、第１のステープルアンビルユニット、及びそれぞれ前記第１のステープルアンビルユニットの両側に固定される第２のステープルアンビルユニットを含み、
前記第１のステープルアンビルユニットと前記第２のステープルアンビルユニットとは別個に製造される
ことを特徴とする請求項４に記載の直線縫合切断装置。
【請求項６】
前記ステープルカートリッジは、その長手軸に沿って設置されるカッター溝を含み、
前記カッター溝の任意側の隣接列の前記ステープルカートリッジホールは交錯して設置される
ことを特徴とする請求項５に記載の直線縫合切断装置。
【請求項７】
前記カッター溝の両側のステープルカートリッジホールは互いに対称に設置される、ことを特徴とする請求項６に記載の直線縫合切断装置。
【請求項８】
前記ステープルアンビルは、前記ステープルカートリッジに対向するステープルアンビル成形面を有し、
前記第１のステープルアンビルユニットのステープルアンビル成形面と第２のステープルアンビルユニットのステープルアンビル成形面とが波形をなす
ことを特徴とする請求項６に記載の直線縫合切断装置。
【請求項９】
前記ステープルアンビル成形面は、前記ステープルカートリッジの作動表面と互いに噛合可能に構成される
ことを特徴とする請求項８に記載の直線縫合切断装置。
【請求項１０】
互いに閉じる又は開くことが可能な、ステープルアンビルを含む上部クランプと、ステープルカートリッジが着脱可能に設置されるステープルカートリッジホルダを含む下部クランプとを含み、
前記ステープルカートリッジ内に、その作動表面を貫通するステープルカートリッジホールと、前記ステープルカートリッジホール内に設置されるとともにそれに対し摺動可能なステープル押込スライスとが配列される一方、前記ステープル押込スライスを前記ステープルカートリッジホール内で摺動させ得るくさび状のステープル押込部を有する発射片も摺動可能に設置される、直線縫合切断装置において、
前記ステープルカートリッジホールはこのように構成されることによって、前記くさび状のステープル押込部が前記ステープル押込スライスを前記ステープルカートリッジホール内で摺動させる時に、前記ステープル押込スライスが受けた推力の方向は前記ステープルカートリッジホールの延伸方向と一致している
ことを特徴とする直線縫合切断装置。
【請求項１１】
前記ステープルカートリッジホールは、前記ステープルカートリッジの遠位端又は近位端へ傾斜するように設置される
ことを特徴とする請求項１０に記載の直線縫合切断装置。
【請求項１２】
前記くさび状のステープル押込部は、前記ステープル押込スライスと嵌合可能なステープル押込面を備え、
前記ステープルカートリッジホールは前記ステープル押込面に垂直に設置される
ことを特徴とする請求項１１に記載の直線縫合切断装置。
【発明の詳細な説明】
【技術分野】
【０００１】
本発明は、医療器具製造技術分野に属し、具体的に、直線縫合切断装置に関する。
【背景技術】
【０００２】
従来技術において、発射片とステープル押込スライスとの嵌合をよくするために、発射片の端部は通常にくさび状にされることによって、ステープル押込スライスの押込みに対し比較的良い案内作用を奏する。しかしながら、このようにして、ステープルカートリッジホールが直立に設けられ、発射片におけるくさび状部分とステープル押込スライスとが嵌合する際に傾斜する推進力が加えられたため、ステープル押込スライスがステープルカートリッジホールで運動する際に、ステープルカートリッジホールの側壁との付勢力が比較的大きく、ステープルが押し出される難易度は大きくなる。
【発明の概要】
【発明が解決しようとする課題】
【０００３】
本発明は、ステープルをステープルカートリッジホール内でより容易に移動させ得る直線縫合切断装置を提供することを目的とする。
【課題を解決するための手段】
【０００４】
上記の発明目的を達成するために、本発明は直線縫合切断装置を提供し、互いに閉じる又は開くことが可能な、ステープルアンビルを含む上部クランプと、ステープルカートリッジが着脱可能に設置されるステープルカートリッジホルダを含む下部クランプとを含み、前記ステープルカートリッジ内に、その作動表面を貫通するステープルカートリッジホールと、前記ステープルカートリッジホール内に設置されるとともにそれに対し摺動可能なステープル押込スライスとが配列される一方、前記ステープル押込スライスを前記ステープルカートリッジホール内で摺動させ得るくさび状のステープル押込部を有する発射片も摺動可能に設置され、前記ステープルカートリッジホールは、前記ステープルカートリッジの遠位端へ傾斜するように設置される。
【０００５】
本発明の更なる改良としては、前記発射片は前記ステープルカートリッジの近位端から遠位端へと運動し、前記くさび状のステープル押込部は、前記ステープル押込スライスと嵌合するステープル押込面を有し、前記ステープル押込面が遠位端から近位端へと上向きに傾斜する。
【０００６】
本発明の更なる改良としては、前記ステープルカートリッジホールは、前記ステープル押込面に垂直に設置される。
【０００７】
本発明の更なる改良としては、前記ステープルカートリッジの遠位端から近位端へと延びる方向において、それぞれの前記ステープルカートリッジホールの上端面は上向きの傾斜面である。
【０００８】
本発明の更なる改良としては、前記ステープルアンビルは、第１のステープルアンビルユニット、及びそれぞれ前記第１のステープルアンビルユニットの両側に固定される第２のステープルアンビルユニットを含み、前記第１のステープルアンビルユニットと前記第２のステープルアンビルユニットとは別個に製造される。
【０００９】
本発明の更なる改良としては、前記ステープルカートリッジは、その長手軸に沿って設置されるカッター溝を含み、前記カッター溝の任意側の隣接列の前記ステープルカートリッジホールは交錯して設置される。
【００１０】
本発明の更なる改良としては、前記カッター溝の両側のステープルカートリッジホールは互いに対称に設置される。
【００１１】
本発明の更なる改良としては、前記ステープルアンビルは、前記ステープルカートリッジに対向するステープルアンビル成形面を有し、前記第１のステープルアンビルユニットのステープルアンビル成形面と第２のステープルアンビルユニットのステープルアンビル成形面とが波形をなす。
【００１２】
本発明の更なる改良としては、前記ステープルアンビル成形面は、前記ステープルカートリッジの作動表面と互いに噛合可能に構成される。
【００１３】
上記の発明の目的は以下の方式にて実現され得る。直線縫合切断装置を提供し、互いに閉じる又は開くことが可能な、ステープルアンビルを含む上部クランプと、ステープルカートリッジが着脱可能に設置されるステープルカートリッジホルダを含む下部クランプとを含み、前記ステープルカートリッジ内に、その作動表面を貫通するステープルカートリッジホールと、前記ステープルカートリッジホール内に設置されるとともにそれに対し摺動可能なステープル押込スライスとが配列される一方、前記ステープル押込スライスを前記ステープルカートリッジホール内で摺動させ得るくさび状のステープル押込部を有する発射片も摺動可能に設置され、前記ステープルカートリッジホールはこのように構成されることによって、前記くさび状のステープル押込部が前記ステープル押込スライスを前記ステープルカートリッジホール内で摺動させる時に、前記ステープル押込スライスが受けた推力の方向は前記ステープルカートリッジホールの延伸方向と一致している。
【００１４】
本発明の更なる改良としては、前記ステープルカートリッジホールは、前記ステープルカートリッジの遠位端又は近位端へ傾斜するように設置される。
【００１５】
本発明の更なる改良としては、前記くさび状のステープル押込部は、前記ステープル押込スライスと嵌合可能なステープル押込面を備え、前記ステープルカートリッジホールは前記ステープル押込面に垂直に設置される。
【００１６】
従来技術に比べて、本発明の提示する直線縫合切断装置は、ステープルカートリッジ内のステープルカートリッジホールを前記ステープルカートリッジの遠位端へ傾斜するように設置することによって、ステープルカートリッジホール内のステープル押込スライスが押される時に、その力を受けた方向がステープルカートリッジホールの延伸方向と一致しており、ステープル押込スライスはステープルカートリッジホールの内壁と比較的大きな摩擦付勢力を生成することはなく、ステープル押込スライスはより順調に推進され得、手術の難しさは低減され得る。
【図面の簡単な説明】
【００１７】
【図１】本発明の直線縫合切断装置の一実施形態の構造を模式的に示す図である。
【図２】図１における点線フレームにおける一部の構造の拡大摸式図である。
【図３】本発明の直線縫合切断装置の一実施形態におけるステープルカートリッジの一部の断面を模式的に示す図である。
【図４】本発明の直線縫合切断装置の一実施形態におけるステープルカートリッジの平面図である。
【図５】本発明の直線縫合切断装置の一実施形態におけるステープルアンビルの構造を模式的に示す図である。
【図６】図５における点線フレームにおける一部の構造の拡大摸式図である。
【発明を実施するための形態】
【００１８】
次に、図面に示す具体的な実施形態を組み合わせて本発明を詳細に説明する。ただし、これらの実施形態は本発明を限定するものでなく、当業者がこれらの実施形態に基づいて構造、方法、又は機能について行なう変更の何れも本発明の保護範囲に含まれる。
【００１９】
本発明における位置と方向を表現する用語は、何れも器具のオペレータを参照対象とするものであり、オペレータにとって手前端を近位端、オペレータにとって遠方端を遠位端とする。
【００２０】
図１〜図３を参照して、本発明の直線縫合切断装置１００の具体的な実施形態を説明する。この実施形態において、該直線縫合切断装置１００は、互いに閉じる又は開くことが可能な上部クランプ１０１及び下部クランプ１０２を含む。ここで、この「上部」、「下部」は位置関係を厳格に限定することを意味するものでなく、容易に記載できるために用いられる用語にすぎない。
【００２１】
上部クランプ１０１はステープルアンビル１０を含み、下部クランプ１０２はステープルカートリッジホルダ１０３を含み、該ステープルカートリッジホルダ１０３には、ステープルカートリッジ２０が着脱可能に配置され、上部クランプ１０１及び下部クランプ１０２は互いに閉じることができることによって、対象組織をステープルアンビル１０とステープルカートリッジ２０との間に挟む。ステープルカートリッジホルダ１０３内には、カッタ押し棒（未図示）、及びカッタ押し棒の遠位端に配置されるカッターは移動可能に設置され（未図示）、カッターはカッタ押し棒の作用でステープルカートリッジ２０の近位端から遠位端へと運動することによって、ステープルアンビル１０とステープルカートリッジ２０との間の対象組織を切断する。これとともに、ステープルカートリッジ２０内には、その作動表面を貫通するステープルカートリッジホール２１、及び、ステープルカートリッジホール２１内に配置されそれに対し摺動可能なステープル押込スライス４０が配列され、ステープルカートリッジホルダ１０３内で発射片３０は摺動可能に設置され、該発射片３０がステープル押込スライス４０をステープルカートリッジホール２１内で摺動させ得るくさび状のステープル押込部３１を有し、発射片３０が動力機構の作用でステープルカートリッジ２０の近位端から遠位端へと運動する際に、その上のくさび状のステープル押込部３１がステープル押込スライス４０をステープルカートリッジホール２１に沿って押すことによって、ステープルに組織を縫合させる。
【００２２】
この実施形態において、ステープルカートリッジホール２１はステープルカートリッジ２０の遠位端に傾斜するように配置される。くさび状のステープル押込部３１とステープル押込スライス４０との嵌合面は傾斜するステープル押込面３２であるため、ステープル押込面３２は遠位端から近位端へと上向きに傾斜し、くさび状のステープル押込部３１が近位端から遠位端へと運動する際に、ステープル押込スライス４０を押して運動させ、ステープル押込スライス４０に加えられた推進力も実質的に傾斜する力である。ステープルカートリッジホール２１をステープルカートリッジ２０の遠位端へ傾斜するように設置することによって、ステープル押込スライス４０の受けたステープルカートリッジホール２１の延伸方向と異なる付勢力を低減でき、ステープル押込スライス４０が運動する際にステープルカートリッジホール２１の内壁との摩擦力を低減することによって、ステープル押込スライス４０はより順調に押し出され得る。
【００２３】
くさび状のステープル押込部３１は、ステープル押込スライス４０と嵌合可能なステープル押込面３２を有し、該ステープル押込面３２がステープル押込スライス４０に直接的に作用するとともに、ステープル押込スライス４０にステープル押込面３２に垂直する付勢力を加える。好ましい実施形態としては、この実施形態において、ステープルカートリッジホール２１が該ステープル押込面３２に垂直に設置され、即ち、ステープル押込スライス４０の受けた推力方向がステープルカートリッジホール２１の延伸方向と一致しており、ステープル押込スライス４０が運動する際に、ステープルカートリッジホール２１の内壁との間の摩擦力を最大に低減することによって、ステープル押込の最適な順調さを提供する。
【００２４】
通常の直線縫合切断装置において、ステープルアンビルとステープルカートリッジとの対向面は相対的に均一に設定されており、医師が手術する時に、ステープルアンビルとステープルカートリッジとの間に挟持される対象組織はある程度摺動したりずれたりする恐れがある。上記の欠点を解消するために、この実施形態において、ステープルカートリッジ２０の遠位端から近位端へと延びる方向に、それぞれのステープルカートリッジホール２１の上端面２１１は上向きの傾斜面に設置されて（即ち、それとステープルカートリッジ２０の底部との間の距離が次第に大きくなる）、これに対応するように、ステープルカートリッジ２０の作動表面（即ち、ステープルカートリッジホールのある表面）は非均一の状態に構成されることによって、対象組織はより確実にステープルアンビル１０とステープルカートリッジ２０との間に挟持され得る。なお、このような設計は本実施形態におけるステープルカートリッジホール２１がステープルカートリッジ２０の遠位端に向かって傾斜するという設置に適合できる。
【００２５】
取替可能な実施形態において、ステープルカートリッジホールの上端面を他の形式の傾斜状態に設置することによって、この実施形態と類似する技術効果を達成する可能性はある。例えば、ステープルカートリッジホール２１をステープルカートリッジ２０の近位端に傾斜するように設置し、前記発射片３０が前記ステープルカートリッジ２０の遠位端から近位端へと運動し、前記くさび状のステープル押込部３１は前記ステープル押込スライスと嵌合するステープル押込面３２を有し、前記ステープル押込面３２は遠位端から近位端へと下向きに傾斜する。このようにして、同様に、ステープル押込スライスが運動する際に、ステープルカートリッジホールの内壁との摩擦力を低減するという技術効果を達成できる。しかしながら、これらの変換は、何れも本発明技術が改良された上に行なわれる均等の変換であり、本発明の保護範囲内のものに該当すると、見なされるべきである。
【００２６】
図４を参照して、ステープルカートリッジ２０はその長手軸に沿って設置されるカッター溝２２を含み、該カッター溝２２の任意側の隣接列のステープルカートリッジホール２１が交錯して設置されており、このように設置するのは、同様に、ステープルカートリッジ２０とステープルアンビル１０とが閉じる際に、対象組織をよりよく挟持し、且つ縫合する効果を達成することを目的とするからである。
【００２７】
図５及び図６を参照して、特に、この実施形態において、ステープルアンビル１０は、別個に製造される、第１のステープルアンビルユニット１１、及びそれぞれ第１のステープルアンビルユニット１１の両側に固定される第２のステープルアンビルユニット１２を含む。ここで、この実施形態において、４列のステープルカートリッジホール２１を有するステープルカートリッジ２０を例として、ステープルアンビル１０は、対応して、１つの第１のステープルアンビルユニット１１と、２つの第２のステープルアンビルユニット１２とを含むように設置されるが、より多くの取替可能な実施形態において、例えば、６列のステープルカートリッジホールを有する直線縫合切断装置において、対応して、より多くの第２のステープルアンビルユニットを設置する必要はある。
【００２８】
この実施形態において、カッター溝２２の任意側の隣接列のステープルカートリッジホールは交錯して設置されるので、ステープルアンビルを容易に成形するために、ステープルアンビルを第１のステープルアンビルユニットと第２のステープルアンビルユニットとに分けて別個に製造し、実際的な製造中に、別個に製造される第１のステープルアンビルユニット１１と第２のステープルアンビルユニット１２とは、後続のタック溶接によって嵌合され得、組立て易い。
【００２９】
カッター溝２２の両側のステープルカートリッジホール２１は互いに対称に設置されることによって、対応して、第１のステープルアンビルユニット１１の成形の難しさを低減できる。ステープルアンビル１０は、ステープルカートリッジ２０に対向するステープルアンビル成形面を有し、ここで、第１のステープルアンビルユニット１１のステープルアンビル成形面１１１と第２のステープルアンビルユニット１２のステープルアンビル成形面１２１とが波形であり、ステープルカートリッジ２０とステープルアンビル１０との対向表面は全体的に起伏するように設置され、且つ均一である。図２を参照して、ステープルアンビル成形面は、ステープルカートリッジ２０の作動表面と互いに噛合可能に構成されることによって、押し出す効果を極力低減し、対象組織に対する挟持作用を最適化する。
【００３０】
本発明は上記の実施形態によって以下のような有益な効果を備える。本発明に提示される直線縫合切断装置はステープルカートリッジ内のステープルカートリッジホールを前記ステープルカートリッジの遠位端へ傾斜するように設置することによって、ステープルカートリッジホール内のステープル押込スライスが推進される時、その力を受けた方向とステープルカートリッジホールの延伸方向とが一致しており、ステープル押込スライスがステープルカートリッジホールの内壁と比較的大きな摩擦付勢力を生成することはなく、ステープル押込スライスはより順調に推進され得、手術の難しさを低減できる。
【００３１】
本明細書は実施形態に基づき記述するものであるが、各実施形態は１つの独立した技術案だけを含むことを意味しなく、明細書の明確記載を考慮してこのように明細書を記載するのであり、当業者は明細書を全体とすべきであり、各実施形態に係る技術案は適宜に組み合わせられて当業者の理解できる他の実施形態として構成され得ると、理解すべきである。
【００３２】
上記の一連の詳細な記述は、本発明の実行可能な実施形態についての具体的な説明にすぎず、本発明の保護範囲を限定するものではなく、本発明の趣旨から逸脱しない均等の実施形態又は変更の何れも本発明の保護範囲に含まれると、理解すべきである。
【符号の説明】
【００３３】
１０  ステープルアンビル
１１  第１のステープルアンビルユニット
１２  第２のステープルアンビルユニット
２０  ステープルカートリッジ
２１  ステープルカートリッジホール
２２  カッター溝
３０  発射片
３１  ステープル押込部
３２  ステープル押込面
４０  ステープル押込スライス
１００  直線縫合切断装置
１０１  上部クランプ
１０２  下部クランプ
１０３  ステープルカートリッジホルダ
１１１  ステープルアンビル成形面
１２１  ステープルアンビル成形面
２１１  上端面
【図１】
2017500163.tif 000003
【図２】
2017500163.tif 000004
【図３】
2017500163.tif 000005
【図４】
2017500163.tif 000006
【図５】
2017500163.tif 000007
【図６】
2017500163.tif 000008
【国際調査報告】
2017500163.tif 000009
2017500163.tif 000010
2017500163.tif 000011
2017500163.tif 000012
2017500163.tif 000013
2017500163.tif 000014